(57)【要約】  非同期転送モード（ＡＴＭ）デジタル加入者線（ＤＳＬ）ヘッドエンドネットワーク（１００）は、少なくとも１人の加入者にＤＳＬサービスを提供する加入者宅内装置（ＣＰＥ）を有する。少なくとも１人の加入者用に残されたボイスメッセージを保存するために、ＣＰＥから離れてボイスメールサーバ（３０）が配置される。システムのトラヒックを管理するためのサービスコントローラ（１１）がボイスメールサーバ（３０）に結合され、それ故にボイスメールメッセージがボイスメールサーバ（３０）に記録されると、ボイスメールが取り出されることを待っていることを加入者宅内装置（２）に通知するためにＡＴＭシグナリングチャネル（３２）が使用される。非同期転送モード（ＡＴＭ）デジタル加入者線（ＤＳＬ）ヘッドエンドネットワークから加入者にボイスメールを提供するための方法についても開示される。
2005515705.tif 000002
【特許請求の範囲】
【請求項１】
少なくとも１人の加入者にＤＳＬサービスを提供する加入者宅内装置（ＣＰＥ）（２）と、
前記少なくとも１人の加入者用に残されたボイスメッセージを保存するための、前記ＣＰＥ（２）から離れて配置されたボイスメールサーバ（３０）と、
ボイスメールメッセージが前記ボイスメールサーバ（３０）に記録されると、前記ボイスメールが取り出されることを待っていることを前記加入者宅内装置に通知するためにＡＴＭシグナリングチャネル（３２）が使用されるように、前記ボイスメールサーバ（３０）に結合された、システムのトラヒックを管理するためのサービスコントローラ（１１）と
を有する非同期転送モード（ＡＴＭ）デジタル加入者線（ＤＳＬ）ヘッドエンドネットワーク。
【請求項２】
請求項１に記載のヘッドエンドネットワークであって、
前記少なくとも１人の加入者が、複数の加入者を含み、
前記ＣＰＥ（２）が複数のＣＰＥを含み、
ボイスメールボックスに関連付けられた電話番号に基づいて、前記ヘッドエンドネットワーク（１００）が、前記ＡＴＭシグナリングチャネル（３２）を適切な加入者にルーティングするためのＡＴＭスイッチ（１０）を更に有するヘッドエンドネットワーク。
【請求項３】
請求項２に記載のヘッドエンドネットワークであって、
前記適切な加入者に前記ＡＴＭシグナリングチャネル（３２）を指定するための多重化装置（９）を更に有するヘッドエンドネットワーク。
【請求項４】
請求項１に記載のヘッドエンドネットワークであって、
前記ＡＴＭシグナリングチャネル（３２）が、前記ボイスメールメッセージが取り出しを待つことを示すためのフラグを有するＡＴＭセルを転送するヘッドエンドネットワーク。
【請求項５】
請求項１に記載のヘッドエンドネットワークであって、
前記ＡＴＭシグナリングチャネル（３２）が、前記ボイスメールメッセージに関する情報を有するＡＴＭセルを転送するヘッドエンドネットワーク。
【請求項６】
請求項１に記載のヘッドエンドネットワークであって、
前記サービスコントローラが中央局（１）に配置されたヘッドエンドネットワーク。
【請求項７】
請求項１に記載のヘッドエンドネットワークであって、
前記ＣＰＥ（２）に結合された加入者アクセス装置（３、７又は８）を更に有し、
前記加入者アクセス装置（３、７又は８）が、前記ボイスメールが取り出されることを待っているＣＰＥの通知に応じるインジケータ（３３）を有するヘッドエンドネットワーク。
【請求項８】
請求項７に記載のヘッドエンドネットワークであって、
前記加入者アクセス装置（３、７又は８）が、電話（３）とセットトップボックス（８）とディスプレイ（７）とのうちの１つを有するヘッドエンドネットワーク。
【請求項９】
非同期転送モード（ＡＴＭ）デジタル加入者線（ＤＳＬ）ヘッドエンドネットワークから加入者にボイスメールを提供するための方法であって、
ボイスメールボックスでボイスメールメッセージを受信するステップ（２０２）と、
ボイスメールメッセージが受信されたことをサービスコントローラに通知することを前記サービスコントローラに信号で通知するステップ（２０３）と、
ＡＴＭシグナリングチャネル上で前記サービスコントローラから加入者宅内装置（ＣＰＥ）の装置にインジケータ信号を送信し、前記ボイスメールメッセージが取り出されることを待っていることを前記ＣＰＥ装置に通知するステップ（２０４）と
を有する方法。
【請求項１０】
請求項９に記載の方法であって、
ボイスメールボックスに関連付けられた電話番号に基づいて、前記ＡＴＭシグナリングチャネルを適切な加入者にルーティングするステップ（２０５）を更に有する方法。
【請求項１１】
請求項９に記載の方法であって、
前記ＡＴＭシグナリングチャネルを使用することにより、前記ボイスメールメッセージが取り出しを待つことを示すためのフラグ（５３）を有するＡＴＭセルを転送するステップを更に有する方法。
【請求項１２】
請求項９に記載の方法であって、
前記ボイスメールメッセージ（５３）に関する情報を有するＡＴＭセルを前記ＡＴＭシグナリングチャネルで転送するステップを更に有する方法。
【請求項１３】
請求項９に記載の方法であって、
前記ボイスメールが、前記ＣＰＥに結合された加入者アクセス装置で取り出されることを待っていることを示すステップ（２０３）を更に有する方法。
【請求項１４】
非同期転送モード（ＡＴＭ）デジタル加入者線（ＤＳＬ）ヘッドエンドネットワークから加入者にボイスメールを提供するための方法であって、
少なくとも１人の加入者にＤＳＬサービスを提供する加入者宅内装置（ＣＰＥ）と、
前記少なくとも１人の加入者用に残されたボイスメッセージを保存するための、前記ＣＰＥから離れて配置されたボイスメールサーバと、
ボイスメールメッセージが前記ボイスメールサーバに記録されると、前記ボイスメールが取り出されることを待っていることを前記加入者宅内装置に通知するためにＡＴＭシグナリングチャネルが使用されるように、前記ボイスメールサーバに結合された、システムのトラヒックを管理するためのサービスコントローラと
を有する非同期転送モード（ＡＴＭ）デジタル加入者線（ＤＳＬ）ヘッドエンドネットワークを提供するステップ（２０１）と、
前記ボイスメールサーバのボイスメールボックスでボイスメールメッセージを受信するステップ（２０２）と、
ボイスメールメッセージが受信されたことを前記サービスコントローラに通知することを前記サービスコントローラに信号で通知するステップ（２０３）と、
前記ＡＴＭシグナリングチャネル上で前記サービスコントローラから加入者宅内装置（ＣＰＥ）の装置にインジケータ信号を送信し、前記ボイスメールメッセージが取り出されることを待っていることを前記ＣＰＥ装置に通知するステップ（２０４）と、
前記ボイスメールサーバから前記ボイスメールを取り出すステップ（２０６）と
を有する方法。
【発明の詳細な説明】
【技術分野】
【０００１】
本発明は、概してネットワーク通信に関するものであり、特に非同期転送モード（ＡＴＭ）／非同期デジタル加入者線（ＡＤＳＬ）環境で加入者宅内装置（ＣＰＥ）にボイスメールメッセージを通知するための方法とシステムに関するものである。
【背景技術】
【０００２】
非同期転送モード／非同期デジタル加入者線（ＡＴＭ／ＡＤＳＬ）ネットワークは、一般的に電話局で維持される装置、例えばスイッチング装置及び多重化装置を有する。ＡＴＭ／ＡＤＳＬネットワークはまた、加入者の場所で維持される装置、例えば加入者宅内装置（ＣＰＥ）及び電話やコンピュータのような加入者インタフェース装置を有する。既存の地域電話会社（ＩＬＥＣ）は、加入者のために発信者番号通知やボイスメールのような、更なる電話に関するサービスを提供することがある。
【０００３】
現在のＡＴＭ／ＡＤＳＬヘッドエンドネットワークにおいて、既存の地域電話会社（ＩＬＥＣ）に依存せずにボイスメールサービスを提供することが可能である。現在、ボイスメールメッセージが残っていることを加入者に警告する方法はない。ＩＬＥＣは震える発信音を通じて加入者にボイスメールメッセージが残っていることを警告することができる。ボイスメールのインジケータ・ライトを有することがある電話は、特定の間隔で電話を定期的に受信し、震える発信音を検出することがある。震える発信音が存在する場合、ボイスメールのインジケータが点灯する。
【０００４】
競争的地域電話会社（ＣＬＥＣ）はその加入者にボイスメールサービスを提供することができるが、ボイスメールメッセージが記録されたことを加入者に警告するための方法が、サービスを効果的にするために導入される必要がある。
【０００５】
従って、ボイスメールメッセージが所定の電話番号用に記録されたことを加入者の場所で加入者に警告する、ＡＴＭヘッドエンドネットワークにより制御される、ローカルで提供されるボイスメールサービスの必要性が存在する。加入者宅内装置と通信し、ボイスメールメッセージサービスのための状態情報を提供するＡＴＭシグナリングチャネルの更なる必要性が存在する。
【発明の開示】
【課題を解決するための手段】
【０００６】
非同期転送モード（ＡＴＭ）デジタル加入者線（ＤＳＬ）ヘッドエンドネットワークは、少なくとも１人の加入者にＤＳＬサービスを提供する加入者宅内装置（ＣＰＥ）を有する。少なくとも１人の加入者用に残されたボイスメッセージを保存するために、ＣＰＥから離れてボイスメールサーバが配置される。システムのトラヒックを管理するためのサービスコントローラがボイスメールサーバに結合され、それ故にボイスメールメッセージがボイスメールサーバに記録されると、ボイスメールが取り出されることを待っていることを加入者宅内装置に通知するためにＡＴＭシグナリングチャネルが使用される。
【０００７】
非同期転送モード（ＡＴＭ）デジタル加入者線（ＤＳＬ）ヘッドエンドネットワークから加入者にボイスメールを提供するための方法は、ボイスメールボックスでボイスメールメッセージを受信することと、ボイスメールメッセージが受信されたことをサービスコントローラに通知することをサービスコントローラに信号で通知することとを有する。インジケータ信号がＡＴＭシグナリングチャネル上でサービスコントローラから加入者宅内装置（ＣＰＥ）に送信され、ボイスメールメッセージが取り出されることを待っていることをＣＰＥ装置に通知する。
【発明を実施するための最良の形態】
【０００８】
添付の図面と関連して以下に詳細に記載される例示的な実施例を完全に検討することにより、本発明の利点と本質と多様な更なる特徴が明らかになる。
【０００９】
当然のことながら、図面は本発明の概念を示す目的のものであり、必ずしも本発明を示すための可能性のある構成のみではない。
【００１０】
本発明は、ボイスメールサービスが非同期転送モード（ＡＴＭ）ヘッドエンドネットワークから提供されることを可能にする方法とシステムを提供する。ボイスメールサーバは、例えば電話局にて中央に設置され、呼を傍受してボイスメールサービス用のメッセージを保存する。ネットワーク用の制御プロセッサは、加入者宅内装置に信号で通知するためにＡＴＭチャネルを使用し、メッセージが受信されてボイスメールサーバから取り出されることを待っていることを加入者の場所で加入者に警告するインジケータを提供する。１つの実施例において、ＡＴＭシグナリングチャネルは、加入者宅内装置（ＣＰＥ）に結合され、メッセージがボイスメールサーバから取り出される状態にあることを加入者に警告するインジケータを提供する。ＡＴＭシグナリングチャネルの使用を通じて、例えばボイスメールを待っているデジタル加入者線（ＤＳＬ）の加入者への通知が可能になる。
【００１１】
本発明は、ボイスメールメッセージが受信されたことを加入者に通知するための機構を提供する。電話会社のスイッチではなく、ＤＳＬネットワークのインフラ内にボイスメールサーバを設置することにより、ボイスメールが提供される。ボイスメールサーバが電話スイッチに設置されずにＤＳＬネットワークのインフラに設置される場合、ボイスメールが待ち状態にあることをエンドユーザに通知するために異なる機構が必要になる。本発明の１つの実施例において、ボイスメールが待ち状態にあることを加入者に通知するために、ＡＴＭ仮想回線シグナリングチャネルが使用される。
【００１２】
当然のことながら、図面に示された要素は、多様な形式のハードウェア、ソフトウェア、又はその組み合わせで実装されることがある。好ましくは、前記要素は１つ以上の適切にプログラムされた汎用目的装置にハードウェアで実装され、前記汎用目的装置はプロセッサとメモリと入出力インタフェースを有することがある。図面に示された要素はまた、適切にプログラムされた汎用目的装置のソフトウェアに実装されることがある。
【００１３】
次に、図面を詳細に参照すると、図面において同様の数字はいくつかの図面を通じて類似又は同一の要素を特定しており、まず図１を参照すると、デジタル加入者線（ＤＳＬ）ヘッドエンドネットワーク１の概念的なブロック図が例示的に示されている。システムアーキテクチャ１は、本発明に従って本発明の方法とシステムを使用するための例示的なＤＳＬ環境として提示される。システムブロック図１は、いくつかの機能ブロックで構成される。システムドメインは、電話局（ＣＯ）装置１００と加入者宅内装置（ＣＰＥ）２とで構成される。図１は概略的に示されており、当業者に周知の他の装置を有することがある。システムドメイン内の構成ブロックとそのそれぞれのインタフェースは、加入者宅内装置（ＣＰＥ）２と、デジタル加入者線アクセスマルチプレクサ（ＤＳＬＡＭ）９と、ＡＴＭスイッチ１０と、公衆電話交換ネットワーク（ＰＳＴＮ）スイッチ１５と、ネットワーク又はサービス制御システム１１を有する。
【００１４】
例えば加入者宅内装置（ＣＰＥ）２用の１つの例示的な設定は、例えば一般電話サービス（ＰＯＴＳ）を使用するアナログ電話３のようなユーザ装置とのインフェースになるＤＳＬモデムユニット、ＰＣデスクトップシステム７への１０Ｂａｓｅ−Ｔイーサーネット接続、及び／又は例えばテレビ又はビデオディスプレイ８’への接続のためのデコーダ８を備えたセットトップボックスへのイーサーネット若しくはＲＳ−４２２接続を有する。加入者のアナログ端部から、ＣＰＥ装置２はそれぞれの電話又は装置からアナログ入力を受け取り、アナログ入力からデジタルデータに変換し、各接続が固有の仮想チャネル識別子／仮想パス識別子（ＶＰＩ／ＶＣＩ）を備えて前記データをＡＴＭパケットにパッケージ化する（ＰＯＴＳ  ｏｖｅｒ  ＡＴＭ）。
【００１５】
ＡＴＭはコネクション型のプロトコルであり、それ故に各セルのヘッダに接続識別子が存在し、それが物理リンクの所定の仮想チャネルにセルを明示的に関連付ける。接続識別子には、２つのサブフィールド、すなわち仮想チャネル識別子（ＶＣＩ）と仮想パス識別子（ＶＰＩ）が含まれる。ネットワークを通じたセルの多重化と逆多重化とスイッチについて、前記識別子が共に使用される。ＶＣＩとＶＰＩはアドレスではないが、接続が確立される際に接続のＡＴＭノード間の各セグメントのリンクに明示的に割り当てられ、接続の持続時間の間に存続する。ＶＣＩ／ＶＰＩを使用すると、ＡＴＭレイヤは複数の接続から（多重化）セルを非同期にインターリーブすることができる。
【００１６】
イーサーネットデータはまた、固有のＶＰＩ／ＶＣＩを備えたＡＴＭセルにカプセル化される。ＡＴＭセルストリームは、ＤＳＬモデムに送信され、ＤＳＬＡＭユニット９に変調されて配信される。
【００１７】
ＤＳＬ信号は加入者宅内装置２のＤＳＬモデムで受信されて復調され、ＶＰＩ／ＶＣＩ検出処理に配信される。次に、エンドユーザの電話のものに合致するＶＰＩ／ＶＣＩを備えたＡＴＭセルデータが抽出され、アナログＰＯＴＳに変換され、電話に配信される。エンドユーザのイーサーネットのものに合致するＶＰＩ／ＶＣＩを備えたＡＴＭセルデータが抽出され、ポートへの配信のためにイーサーネット送受信機に配信される。
【００１８】
ＤＳＬＡＭ９は、複数のＤＳＬモデムからデータを復調し、他のネットワークへの接続のためにＡＴＭバックボーンネットワークにデータを集結させる。ＤＳＬＡＭ９は、ＡＴＭスイッチ１０へのＡＴＭ出力にＤＳＬ回線を集結させることを通じて、パッケージ、セル及び／又は回線に基づくアプリケーションのための迂回中継サービスを提供する。ＡＴＭスイッチ１０は、ＡＴＭネットワークのバックボーンである。ＡＴＭスイッチ１０は、セル転送と、多重化及び集結と、トラヒック制御及びＡＴＭレイヤ管理とを含む、ネットワークにおける多様な機能を実行する。システムドメイン１００の特に注目すべき点に、ＡＴＭスイッチ１０はＤＳＬＡＭ９とネットワーク制御システム１１とインターネットゲートウェイ接続に接続してセルのルーティングとバッファリングを提供し、複数の電話回線スイッチ１５に接続してＴ１サーキットエミュレーションの対応を提供する。
【００１９】
ＡＴＭスイッチ１０はまた、プログラム案内サーバ／ビデオサーバ２２に結合され、衛星１７、無線放送１８又はケーブル１９のネットワークと接続に結合されることがある。ＡＴＭスイッチ１０はまた、ＤＳＬターミネータ１２とインターネットプロトコル（ＩＰ）ルータ１３の対を通して、インターネット１４からインターネットプロトコルＩＰパケットデータを受信するように結合される。
【００２０】
ネットワーク制御システム１１はアドレス変換とデマンド割り当てと呼管理機能とを提供する。ネットワーク制御システムの主な機能は、電話の呼の発信元と終点を含むＤＳＬ／ＡＴＭネットワークを管理すること（例えば呼の提供とルーティング）である。本質的にはＮＣＳ１１は、（例えばＳＳ７又はＧＲ−３０３プロトコルを使用する）クラス５のＰＳＴＮスイッチ１５とＣＰＥ２との間で制御情報を通信して変換する制御要素である。ネットワーク制御システム１１は、ＣＰＥへのコードのダウンロードのようなその他の機能と、帯域及び呼管理（例えば通話中）機能と、他のサービス提供及び設定タスクとを利用可能である。
【００２１】
ＮＣＳ１１は、ＣＯ制御プロトコル（例えばＳＳ７又はＧＲ３０３）から宛先電話番号についての情報を受信する。本発明によると、ボイスメールサービスに対応するために、ボイスメールを待っていることを加入者に通知するための方法とシステムが提供される。ボイスメールサーバ３０は、好ましくは電話局１００内に提供されるが、ボイスメールサーバ３０はネットワーク内の何らかの場所に配置されることがある。ボイスメールサーバ３０は、ＡＴＭスイッチ１０若しくはネットワーク制御システム１１又はその双方のいずれかに結合される。ボイスメールサーバ３０は、通知を送って発信者により残されたボイスメッセージを保存することにより、加入者の場所で返答のない呼に応答する。ボイスメールサーバ３０がメッセージを保存すると、特定のボイスメールボックスの状態を示す信号がネットワーク制御サーバ１１に送信される。ボイスメールボックスは電話番号に関連付けられており、サーバ１１は加入者に状態を通知することを促される。
【００２２】
サーバ１１はボイスメールサーバと通信し、ボイスメールメッセージが残っているか否かを判断する。ボイスメールメッセージが残っている場合、サーバ１１は適切なＣＰＥ２に信号で通知し、待ち状態のボイスメールを示す。１つの実施例において、加入者への通知は、サーバ１１から加入者宅内装置（ＣＰＥ）２へのＡＴＭシグナリングチャネル（例示的に図１に線３２で示されている）を使用することにより提供される。
【００２３】
データのパケットはＡＴＭシグナリングチャネル３２上で送信される。ＡＴＭシグナリングチャネル３２によりＣＰＥ２に送出される情報は、メッセージが待ち状態にあることを示すフラグのように簡単な場合があり、又は更に詳細な情報を有することがある。更に詳細な情報は、日時や、メッセージを残した人の電話番号や、ボイスメールが誰のためのものであるか等のような項目を有することがある。メッセージインジケータ信号はＡＴＭスイッチ１０とＤＳＬＡＭ９を通じて適切なＣＰＥ２にルーティングされる。ボイスメールボックス又はボイスメールサーバ３０の保存場所は、取り出されるボイスメールメッセージを受信する加入者の電話番号に関連付けられる。加入者アクセス装置、例えば電話３又はＰＣ６は、ＣＰＥ２に結合され、好ましくはアイコン又は点滅ライトのようなインジケータ３３を有する。前記インジケータは、ボイスメールが取り出されることを待つ状態にあるＣＰＥの通知に対応する。インジケータ３３は、ボイスメールボックスが待ち状態のメッセージを有することを加入者の場所で加入者に警告する。
【００２４】
１つの実施例において、シグナリングチャネルは恒久仮想回線（ＰＶＣ）として設定される。固有のシグナリングチャネルがＮＣＳ１１から各ＣＰＥ２に設定されることがある。ボイスメールサーバ３０がＮＣＳパッケージに統合されていない場合、その後のシグナリングチャネルがＮＣＳ１１とボイスメールサーバ３０との間で設定されることがある（このシグナリングチャネルは共通の仮想回線であることがある）。
【００２５】
固有のメッセージ識別子を用いてＮＣＳ１１からＣＰＥ２にいくつかのメッセージ形式が伝えられ得る。例えば、メッセージ形式は、緊急、重要、重要度が低いというようなランク付けを有することがあり、又は入ってくる呼が行われている場所に基づくことがある（例えば長距離、市内、特定の個人から等）。ランク付け又はその他の印は、発呼者がメッセージを残すことにより、固有の識別子に追加されることがある。ボイスメール待ち表示メッセージは、ボイスメールメッセージが加入者を待っている状態にあることを示す固有の識別子を有することがある。ボイスメールが残されたときに、又はＣＰＥ２の電源が入るときに、前記メッセージがＣＰＥ２に送信される。電話番号、日時等のような、ボイスメールメッセージに対応し得る更なる情報がメッセージ形式とともに伝えられ得る。
【００２６】
他の実施例において、警告信号がセットトップボックス８（それは点滅ライト３３又は他の警告の機構を有することがある）に送信され、又はテレビスクリーンを有することがあるディスプレイ８’に表示されることがある。その他、ディスプレイ８’は、ボイスメール通知のための点滅ライト３３等を有することがある。
【００２７】
図２を参照すると、例示的なＡＴＭセル５０を示す概念図が本発明に従って示されている。ＡＴＭセル５０は、ボイスメールメッセージ保留信号が送信される宛先（例えば電話番号又はアカウント）を含むルーティング情報を運ぶヘッダ５２を有する。セル又はセル群５０のフィールド又はフィールド群５３は、ボイスメールに関するデータ又はその他の情報を運ぶために使用されることがある。１つの例において、フィールド５３はサーバ３０のボイスメッセージの存在を示すフラグ（例えばシングルビット）を転送する。フィールド又はフィールド群５３は、例えば日時、メッセージを残した人の電話番号、ボイスメールが誰のためのものであるか等のその他の情報も同様に有することがある。ランク付け又は他の印についても、前述と同様に含まれることがある。好ましくは、この情報はボイスメールメッセージに関係する。音声、データ又は映像を含む他の情報は、セル５０の残りのフィールド５４で提供されることがある。ＡＴＭシグナリングチャネル３２は、サーバ１１とＣＰＥ２（図１）との間で維持される複数の仮想回線のうちの１つを有することがある。ＡＴＭシグナリングチャネル３２は、好ましくはＤＳＬＡＭを通じてＣＰＥ２にルーティングされる。
【００２８】
ＡＴＭシグナリングチャネルは、好ましくは加入者がサービス提供される際に設定される恒久仮想回線である。この形式の仮想回線は、ＮＣＳ１１とＣＰＥ２との間の全ての形式のシグナリングで一般的である。
【００２９】
図３を参照すると、非同期転送モード（ＡＴＭ）デジタル加入者線（ＤＳＬ）ヘッドエンドネットワークから加入者にボイスメールを提供するための方法を示すブロック／フロー図が、本発明に従って示されている。ブロック２０１において、ボイスメールサーバと、サービスコントローラ（ネットワーク制御システム）と、ＤＳＬＡＭ及びＡＴＭスイッチを含むＡＴＭネットワーク構成要素とを含むＤＳＬヘッドエンドネットワークが提供される。加入者宅内装置（ＣＰＥ）の装置もまた提供される。ブロック２０２において、ボイスメールメッセージがボスメールサーバ又はボイスメールボックスに記録され、保存される。電話又はパーソナルコンピュータ（ＰＣ）が入ってくる呼に応答しない場合、メッセージが残されることがある。
【００３０】
ブロック２０３において、ボイスメールメッセージが受信されたことをサービスコントローラに通知するために、ボイスメールサーバによりサービスコントローラが信号で通知される。これに応じて、インジケータ信号が好ましくはＡＴＭシグナリングチャネル上でサービスコントローラから加入者宅内装置（ＣＰＥ）の装置に送信され、ブロック２０４において、ボイスメールメッセージが取り出されることを待っていることをＣＰＥに通知する。ブロック２０５において、ＡＴＭシグナリングチャネルは、ボイスメールボックスに関連付けられた電話番号に基づいて、ＡＴＭセル又はセル群でメッセージが受け取られたことを示すフラグ又はボイスメールメッセージに関する情報のような情報を適切な加入者にルーティングする。
【００３１】
ブロック２０６において、ボイスメールメッセージが、加入者アクセス装置（例えば電話又はＰＣ）から加入者により取り出されることがある。加入者アクセス装置はＣＰＥに結合される。ＣＰＥが通知されると、アイコン又はライトのような加入者アクセス装置が起動され、メッセージが待ち状態にあることを加入者に警告する。
【００３２】
ＡＴＭ／ＤＳＬヘッドエンドネットワークからＡＴＭシグナリングチャネルを使用して加入者にボイスメールを通知するための方法とシステムの好ましい実施例（例示的であることを意図しており、限定的ではない）について説明したが、前述の教示を考慮して当業者により変形形態と変更形態が作られ得ることに留意すべきである。従って、開示された発明の特定の実施例において変更が行われることがあり、それは特許請求の範囲に述べられた本発明の範囲と要旨の範囲内であることがわかる。本発明を詳細に、特に特許法に必要とされるように説明したが、特許証により保護されることを請求し、要求することは、特許請求の範囲に示されている。
【図面の簡単な説明】
【００３３】
【図１】本発明に従って使用される構成要素を示した例示的なヘッドエンドネットワークアーキテクチャである。
【図２】メッセージが本発明に従って記録されたことを示すために使用されるＡＴＭセルを示した概念図である。
【図３】本発明によるボイスメールメッセージを取り出すための例示的な方法を示したフロー／ブロック図である。
【図１】
2005515705.tif 000003
【図２】
2005515705.tif 000004
【図３】
2005515705.tif 000005
【国際調査報告】
2005515705.tif 000006
2005515705.tif 000007
2005515705.tif 000008